(57)【要約】【課題】自動変速機による変速時、トルクフェーズとイナーシャフェーズを含めて変速中に目標駆動力を実現することで、変速前後にて発生し得る変速ショックを抑えた高品質の変速制御を達成することができる電動車両の制御装置を提供すること。【解決手段】モータージェネレータMGを有する駆動源の下流位置に、摩擦締結要素の掛け替えにより複数の変速段を達成する自動変速機ATを搭載し、自動変速機ATによる変速時、摩擦締結要素の掛け替えを行うと共に、イナーシャフェーズでは、実入力回転数が設定された目標入力回転数特性に追従するように、モーター回転数をフィードバック制御する。このＦＲハイブリッド車両において、変速制御手段（図６）は、トルクフェーズ及びイナーシャフェーズの両フェーズを含めて、変速中に要求される出力軸トルク特性による目標駆動力を設定し、トルクフェーズ及びイナーシャフェーズを通して目標駆動力に追従するように、変速に関与する前記摩擦締結要素のトルク制御を行う。【選択図】図６
2010143364.tif 000002
【特許請求の範囲】
【請求項１】
モーターを有する駆動源の下流位置に、摩擦締結要素の掛け替えにより複数の変速段を達成する自動変速機を搭載し、
前記自動変速機による変速時、摩擦締結要素の掛け替えを行うと共に、イナーシャフェーズでは、実入力回転数が設定された目標入力回転数特性に追従するように、モーター回転数をフィードバック制御する変速制御手段を備えた電動車両の制御装置において、
前記変速制御手段は、トルクフェーズ及びイナーシャフェーズの両フェーズを含めて、変速中に要求される出力軸トルク特性による目標駆動力を設定し、トルクフェーズ及びイナーシャフェーズを通して前記目標駆動力に追従するように、変速に関与する前記摩擦締結要素のトルク制御を行うことを特徴とする電動車両の制御装置。
【請求項２】
請求項１に記載された電動車両の制御装置において、
前記モーターは、力行と回生を行うモータージェネレータであり、
前記変速制御手段は、アクセル足離しによるコーストダウンシフトの変速時、トルクフェーズ及びイナーシャフェーズの両フェーズを含めて前記目標駆動力を負の一定値に設定したことを特徴とする電動車両の制御装置。
【請求項３】
請求項１または請求項２に記載された電動車両の制御装置において、
前記変速制御手段は、トルクフェーズにおいて、開放側摩擦締結要素の開放トルクと締結側摩擦締結要素の締結トルクの総容量をコントロールすることで前記目標駆動力を実現することを特徴とする電動車両の制御装置。
【請求項４】
請求項１から請求項３までの何れか１項に記載された電動車両の制御装置において、
前記変速制御手段は、イナーシャフェーズにおいて、開放側摩擦締結要素の開放トルクをゼロとし、締結側摩擦締結要素の締結トルクをコントロールすることで目標駆動力を実現することを特徴とする電動車両の制御装置。
【請求項５】
請求項１から請求項４までの何れか１項に記載された電動車両の制御装置において、
前記変速制御手段は、変速機入力回転数が、締結側摩擦締結要素の差回転が無くなる同期回転数と判断された時点で、前記モーターを、フィードバック回転数制御からトルク制御に移行させることを特徴とする電動車両の制御装置。
【発明の詳細な説明】
【技術分野】
【０００１】
本発明は、ハイブリッド車両や電気自動車等に適用され、モーターを有する駆動源の下流位置に自動変速機を搭載した電動車両の制御装置に関する。
【背景技術】
【０００２】
従来、駆動源としてモータージェネレータを備えるとともに、摩擦係合要素の係合により所定の変速段を達成する自動変速機を備えた電動車両が知られている。そして、変速時に、自動変速機の変速中の目標入力回転数特性を設定し、自動変速機の実際の入力回転数が、設定された目標入力回転数特性をトレースするように、モータージェネレータの回転数をフィードバック制御していた。これにより、モータージェネレータにより自動変速機の入力回転数を精度良く制御することで、変速ショックをなくしていた（例えば、特許文献１参照）。
【特許文献１】特開平10-257610号公報
【発明の開示】
【発明が解決しようとする課題】
【０００３】
しかしながら、従来の電動車両の制御装置にあっては、変速フェーズのうち、トルクフェーズにおいて、変速機入力回転数の変化を促しイナーシャフェーズへ円滑に移行するように摩擦係合要素の掛け替え制御を行い、イナーシャフェーズにおいてのみ目標入力回転数に追従するモータージェネレータの回転数制御を行うものである。このため、トルクフェーズでの駆動力（＝出力軸トルク）は、変速機入力トルクと摩擦係合要素の開放トルクと締結トルクに支配され、ドライバーが意図する駆動力が実現できない、という問題があった。
【０００４】
ここで、「トルクフェーズ」とは、変速の進行途中で発生するフェーズの一つであり、変速機入力回転数が変化しないで出力軸トルクのみが変化する相をいう。
また、「イナーシャフェーズ」とは、変速の進行途中で発生するフェーズの一つであり、駆動源系の慣性力（イナーシャ）の変化によって変速機入力回転数が変化する相をいう。
【０００５】
本発明は、上記問題に着目してなされたもので、自動変速機による変速時、トルクフェーズとイナーシャフェーズを含めて変速中に目標駆動力を実現することで、変速前後にて発生し得る変速ショックを抑えた高品質の変速制御を達成することができる電動車両の制御装置を提供することを目的とする。
【課題を解決するための手段】
【０００６】
上記目的を達成するため、本発明の電動車両の制御装置では、モーターを有する駆動源の下流位置に、摩擦締結要素の掛け替えにより複数の変速段を達成する自動変速機を搭載し、前記自動変速機による変速時、摩擦締結要素の掛け替えを行うと共に、イナーシャフェーズでは、実入力回転数が設定された目標入力回転数特性に追従するように、モーター回転数をフィードバック制御する変速制御手段を備えている。
この電動車両の制御装置において、前記変速制御手段は、トルクフェーズ及びイナーシャフェーズの両フェーズを含めて、変速中に要求される出力軸トルク特性による目標駆動力を設定し、トルクフェーズ及びイナーシャフェーズを通して前記目標駆動力に追従するように、変速に関与する前記摩擦締結要素のトルク制御を行う。
【発明の効果】
【０００７】
よって、本発明の電動車両の制御装置にあっては、自動変速機による変速時、トルクフェーズ及びイナーシャフェーズを通して目標駆動力に追従するように、変速に関与する摩擦締結要素のトルク制御が行なわれる。そして、イナーシャフェーズでは、実入力回転数が設定された目標入力回転数特性に追従するように、モーター回転数がフィードバック制御される。
すなわち、トルクフェーズにおいて、変速に関与する摩擦締結要素のトルク制御を活用することで、トルクフェーズ及びイナーシャフェーズを通した変速全域にて駆動力を目標駆動力に追従させる駆動力デマンドが実現される。したがって、目標駆動力を滑らかで連続的な変化を持つ設定とすることで、変速前後を通して目標駆動力に追従する実駆動力の変化も滑らかなものとなり、実駆動力の急変を原因として車両の前後方向加速度が変動する現象である「変速ショック」が有効に抑えられる。
この結果、自動変速機による変速時、トルクフェーズとイナーシャフェーズを含めて変速中に目標駆動力を実現することで、変速前後にて発生し得る変速ショックを抑えた高品質の変速制御を達成することができる。
【発明を実施するための最良の形態】
【０００８】
以下、本発明の電動車両の制御装置を実現する最良の形態を、図面に示す実施例１に基づいて説明する。
【実施例１】
【０００９】
まず、構成を説明する。
図１は、実施例１の電動車両の制御装置が適用された後輪駆動によるＦＲハイブリッド車両（電動車両の一例）を示す全体システム図である。
【００１０】
実施例１におけるＦＲハイブリッド車両の駆動系は、図１に示すように、エンジンEngと、フライホイールFWと、第１クラッチCL1と、モータージェネレータMG（モーター）と、第２クラッチCL2と、自動変速機ATと、プロペラシャフトPSと、ディファレンシャルDFと、左ドライブシャフトDSLと、右ドライブシャフトDSRと、左後輪RLと、右後輪RRと、を有する。なお、FLは左前輪、FRは右前輪である。
【００１１】
前記エンジンEngは、ガソリンエンジンやディーゼルエンジンであり、エンジンコントローラ１からのエンジン制御指令に基づいて、エンジン始動制御やエンジン停止制御やスロットルバルブのバルブ開度制御が行われる。なお、エンジン出力軸には、フライホイールFWが設けられている。
【００１２】
前記第１クラッチCL1は、前記エンジンEngとモータージェネレータMGの間に介装されたクラッチであり、第１クラッチコントローラ５からの第１クラッチ制御指令に基づいて、第１クラッチ油圧ユニット６により作り出された第１クラッチ制御油圧により、半クラッチ状態を含み締結・開放が制御される。
【００１３】
前記モータージェネレータMGは、ロータに永久磁石を埋設しステータにステータコイルが巻き付けられた同期型モータージェネレータであり、モータコントローラ２からの制御指令に基づいて、インバータ３により作り出された三相交流を印加することにより制御される。このモータージェネレータMGは、バッテリ４からの電力の供給を受けて回転駆動する電動機として動作することもできるし（以下、この状態を「力行」と呼ぶ）、ロータがエンジンEngや駆動輪から回転エネルギを受ける場合には、ステータコイルの両端に起電力を生じさせる発電機として機能し、バッテリ４を充電することもできる（以下、この動作状態を「回生」と呼ぶ）。なお、このモータージェネレータMGのロータは、ダンパーを介して自動変速機ATの変速機入力軸に連結されている。
【００１４】
前記第２クラッチCL2は、前記モータージェネレータMGと左右後輪RL,RRの間に介装されたクラッチであり、ＡＴコントローラ７からの第２クラッチ制御指令に基づいて、第２クラッチ油圧ユニット８により作り出された制御油圧により、スリップ締結とスリップ開放を含み締結・開放が制御される。なお、第１クラッチ油圧ユニット６と第２クラッチ油圧ユニット８は、自動変速機ATに付設されるAT油圧コントロールバルブユニットCVUに内蔵している。
【００１５】
前記自動変速機ATは、例えば、前進７速/後退１速等の有段階の変速段を車速やアクセル開度等に応じて自動的に切り換える有段変速機であり、前記第２クラッチCL2は、専用クラッチとして新たに追加したものではなく、自動変速機ATの各変速段にて締結される複数の摩擦締結要素のうち、トルク伝達経路に配置される最適なクラッチやブレーキを選択している。そして、前記自動変速機ATの出力軸は、プロペラシャフトPS、ディファレンシャルDF、左ドライブシャフトDSL、右ドライブシャフトDSRを介して左右後輪RL,RRに連結されている。
【００１６】
前記第１クラッチCL1としては、例えば、ピストン１４ａを有する油圧アクチュエータ１４により締結・開放が制御される乾式単板クラッチが用いられる。前記第２クラッチCL2としては、例えば、比例ソレノイドで油流量および油圧を連続的に制御できる湿式多板クラッチや湿式多板ブレーキが用いられる。このハイブリッド駆動系は、第１クラッチCL1の締結・開放状態に応じて、電気自動車走行モード（以下、「EVモード」という。）とハイブリッド車走行モード（以下、「HEVモード」という。）の２つの走行モードを有する。「EVモード」は、第１クラッチCL1を開放状態とし、モータージェネレータMGの動力のみで走行するモードである。「HEVモード」は、第１クラッチCL1を締結状態とし、エンジン走行モード・モータアシスト走行モード・走行発電モードの何れかにより走行するモードである。
【００１７】
次に、ハイブリッド車両の制御系を説明する。
実施例１におけるＦＲハイブリッド車両の制御系は、図１に示すように、エンジンコントローラ１と、モータコントローラ２と、インバータ３と、バッテリ４と、第１クラッチコントローラ５と、第１クラッチ油圧ユニット６と、ＡＴコントローラ７と、第２クラッチ油圧ユニット８と、ブレーキコントローラ９と、統合コントローラ１０と、を有して構成されている。なお、エンジンコントローラ１と、モータコントローラ２と、第１クラッチコントローラ５と、ＡＴコントローラ７と、ブレーキコントローラ９と、統合コントローラ１０とは、情報交換が互いに可能なＣＡＮ通信線１１を介して接続されている。
【００１８】
前記エンジンコントローラ１は、エンジン回転数センサ１２からのエンジン回転数情報と、統合コントローラ１０からの目標エンジントルク指令と、他の必要情報を入力する。そして、エンジン動作点（Ne,Te）を制御する指令を、エンジンEngのスロットルバルブアクチュエータ等へ出力する。
【００１９】
前記モータコントローラ２は、モータージェネレータMGのロータ回転位置を検出するレゾルバ１３からの情報と、統合コントローラ１０からの目標MGトルク指令および目標MG回転数指令と、他の必要情報を入力する。そして、モータージェネレータMGのモータ動作点（Nm,Tm）を制御する指令をインバータ３へ出力する。なお、このモータコントローラ２では、バッテリ４の充電容量をあらわすバッテリSOCを監視していて、このバッテリSOC情報は、モータージェネレータMGの制御情報に用いられると共に、ＣＡＮ通信線１１を介して統合コントローラ１０へ供給される。
【００２０】
前記第１クラッチコントローラ５は、油圧アクチュエータ１４のピストン１４ａのストローク位置を検出する第１クラッチストロークセンサ１５からのセンサ情報と、統合コントローラ１０からの目標CL1トルク指令と、他の必要情報を入力する。そして、第１クラッチCL1の締結・開放を制御する指令をAT油圧コントロールバルブユニットCVU内の第１クラッチ油圧ユニット６に出力する。
【００２１】
前記ＡＴコントローラ７は、アクセル開度センサ１６と、車速センサ１７と、他のセンサ類１８（変速機入力回転数センサ、インヒビタースイッチ等）からの情報を入力する。そして、Ｄレンジを選択しての走行時、アクセル開度APOと車速VSPにより決まる運転点がシフトマップ上で存在する位置により最適な変速段を検索し、検索された変速段を得る制御指令をAT油圧コントロールバルブユニットCVUに出力する。なお、シフトマップとは、アクセル開度と車速に応じてアップシフト線とダウンシフト線を書き込んだマップをいう。上記自動変速制御に加えて、統合コントローラ１０から目標CL2トルク指令を入力した場合、第２クラッチCL2の締結・開放を制御する指令をAT油圧コントロールバルブユニットCVU内の第２クラッチ油圧ユニット８に出力する第２クラッチ制御を行う。
【００２２】
前記ブレーキコントローラ９は、４輪の各車輪速を検出する車輪速センサ１９と、ブレーキストロークセンサ２０からのセンサ情報と、統合コントローラ１０からの回生協調制御指令と、他の必要情報を入力する。そして、例えば、ブレーキ踏み込み制動時、ブレーキストロークBSから求められる要求制動力に対し回生制動力だけでは不足する場合、その不足分を機械制動力（液圧制動力やモータ制動力）で補うように、回生協調ブレーキ制御を行う。
【００２３】
前記統合コントローラ１０は、車両全体の消費エネルギを管理し、最高効率で車両を走らせるための機能を担うもので、モーター回転数Nmを検出するモーター回転数センサ２１や他のセンサ・スイッチ類２２からの必要情報およびＣＡＮ通信線１１を介して情報を入力する。そして、エンジンコントローラ１へ目標エンジントルク指令、モータコントローラ２へ目標MGトルク指令および目標MG回転数指令、第１クラッチコントローラ５へ目標CL1トルク指令、ＡＴコントローラ７へ目標CL2トルク指令、ブレーキコントローラ９へ回生協調制御指令を出力する。
【００２４】
図２は、実施例１の電動車両の制御装置が適用されたＦＲハイブリッド車両の統合コントローラ１０にて実行される演算処理を示す制御ブロック図である。図３は、ＦＲハイブリッド車両の統合コントローラ１０でのモード選択処理を行う際に用いられるEV-HEV選択マップを示す図である。以下、図２及び図３に基づき、実施例１の統合コントローラ１０にて実行される演算処理を説明する。
【００２５】
前記統合コントローラ１０は、図２に示すように、目標駆動力演算部100と、モード選択部200と、目標充放電演算部300と、動作点指令部400とを有する。
【００２６】
前記目標駆動力演算部100では、目標駆動力マップを用いて、アクセル開度APOと車速VSPとから、目標駆動力tFoOを演算する。
【００２７】
前記モード選択部200では、図３に示すEV-HEV選択マップを用いて、アクセル開度APOと車速VSPとから、「EVモード」または「HEVモード」を目標走行モードとして選択する。但し、バッテリSOCが所定値以下であれば、強制的に「HEVモード」を目標走行モードとする。
【００２８】
前記目標充放電演算部300では、目標充放電量マップを用いて、バッテリSOCから目標充放電電力tPを演算する。
【００２９】
前記動作点指令部400では、アクセル開度APOと、目標駆動力tFoOと、目標走行モードと、車速VSPと、目標充放電電力tP等の入力情報に基づき、動作点到達目標として、目標エンジントルクと目標MGトルクと目標MG回転数と目標CL1トルクと目標CL2トルクを演算する。そして、目標エンジントルク指令と目標MGトルク指令と目標MG回転数指令と目標CL1トルク指令と目標CL2トルク指令を、ＣＡＮ通信線１１を介して各コントローラ１，２，５，７に出力する。
【００３０】
図４は、実施例１の電動車両の制御装置が適用されたＦＲハイブリッド車両に搭載された自動変速機ATの一例を示すスケルトン図である。
【００３１】
前記自動変速機ATは、前進７速後退１速の有段式自動変速機であり、エンジンEgとモータージェネレータMGのうち、少なくとも一方からの駆動力が変速機入力軸Inputから入力され、４つの遊星ギアと７つの摩擦締結要素とによって回転速度が変速されて変速機出力軸Outputから出力される。次に、変速機入力軸Inputと変速機出力軸Outputとの間の変速ギア機構（変速機構）について説明する。
【００３２】
変速機入力軸Input側から変速機出力軸Output側までの軸上に、順に第１遊星ギアG1と第２遊星ギアG2による第１遊星ギアセットGS1及び第３遊星ギアG3と第４遊星ギアG4による第２遊星ギアセットGS2が配置されている。また、摩擦締結要素として第１クラッチC1、第２クラッチC2、第３クラッチC3及び第１ブレーキB1、第２ブレーキB2、第３ブレーキB3、第４ブレーキB4が配置されている。また、第１ワンウェイクラッチF1と第２ワンウェイクラッチF2が配置されている。
【００３３】
前記第１遊星ギアG1は、第１サンギアS1と、第１リングギアR1と、両ギアS1,R1に噛み合う第１ピニオンP1を支持する第１キャリアPC1と、を有するシングルピニオン型遊星ギアである。
【００３４】
前記第２遊星ギアG2は、第２サンギアS2と、第２リングギアR2と、両ギアS2,R2に噛み合う第２ピニオンP2を支持する第２キャリアPC2と、を有するシングルピニオン型遊星ギアである。
【００３５】
前記第３遊星ギアG3は、第３サンギアS3と、第３リングギアR3と、両ギアS3,R3に噛み合う第３ピニオンP3を支持する第３キャリアPC3と、を有するシングルピニオン型遊星ギアである。
【００３６】
前記第４遊星ギアG4は、第４サンギアS4と、第４リングギアR4と、両ギアS4,R4に噛み合う第４ピニオンP4を支持する第４キャリアPC4と、を有するシングルピニオン型遊星ギアである。
【００３７】
前記変速機入力軸Inputは、第２リングギアR2に連結され、走行用駆動源（エンジンEgとモータージェネレータMG）からの回転駆動力を入力する。前記変速機出力軸Outputは、第３キャリアPC3に連結され、出力回転駆動力を、ファイナルギア等を介して駆動輪（左右後輪RL,RR）に伝達する。
【００３８】
前記第１リングギアR1と第２キャリアPC2と第４リングギアR4とは、第１連結メンバM1により一体的に連結される。前記第３リングギアR3と第４キャリアPC4とは、第２連結メンバM2により一体的に連結される。前記第１サンギアS1と第２サンギアS2とは、第３連結メンバM3により一体的に連結される。
【００３９】
前記第１遊星ギアセットGS1は、第１遊星ギアG1と第２遊星ギアG2とを、第１連結メンバM1と第３連結メンバM3とによって連結することで、４つの回転要素を有して構成される。また、第２遊星ギアセットGS2は、第３遊星ギアG3と第４遊星ギアG4とを、第２連結メンバM2によって連結することで、５つの回転要素を有して構成される。
【００４０】
前記第１遊星ギアセットGS1では、トルクが変速機入力軸Inputから第２リングギアR2に入力され、入力されたトルクは第１連結メンバM1を介して第２遊星ギアセットGS2に出力される。前記第２遊星ギアセットGS2では、トルクが変速機入力軸Inputから直接第２連結メンバM2に入力されると共に、第１連結メンバM1を介して第４リングギアR4に入力され、入力されたトルクは第３キャリアPC3から変速機出力軸Outputに出力される。
【００４１】
前記第１クラッチC1（インプットクラッチI/C）は、変速機入力軸Inputと第２連結メンバM2とを選択的に断接するクラッチである。前記第２クラッチC2（ダイレクトクラッチD/C）は、第４サンギアS4と第４キャリアPC4とを選択的に断接するクラッチである。前記第３クラッチC3（Ｈ＆ＬＲクラッチH&LR/C）は、第３サンギアS3と第４サンギアS4とを選択的に断接するクラッチである。
【００４２】
また、前記第２ワンウェイクラッチF2は、第３サンギアS3と第４サンギアS4の間に配置されている。これにより、第３クラッチC3が開放され、第３サンギアS3よりも第４サンギアS4の回転速度が大きい時、第３サンギアS3と第４サンギアS4とは独立した回転速度を発生する。よって、第３遊星ギアG3と第４遊星ギアG4が第２連結メンバM2を介して接続された構成となり、それぞれの遊星ギアが独立したギア比を達成する。
【００４３】
前記第１ブレーキB1（フロントブレーキFr/B）は、第１キャリアPC1の回転をトランスミッションケースCaseに対し選択的に停止させるブレーキである。また、第１ワンウェイクラッチF1は、第１ブレーキB1と並列に配置されている。前記第２ブレーキB2（ローブレーキLOW/B）は、第３サンギアS3の回転をトランスミッションケースCaseに対し選択的に停止させるブレーキである。前記第３ブレーキB3（２３４６ブレーキ2346/B）は、第１サンギアS1及び第２サンギアS2を連結する第３連結メンバM3の回転をトランスミッションケースCaseに対し選択的に停止させるブレーキである。前記第４ブレーキB4（リバースブレーキR/B）は、第４キャリアPC3の回転をトランスミッションケースCaseに対し選択的に停止させるブレーキである。
【００４４】
図５は、実施例１の電動車両の制御装置が適用されたＦＲハイブリッド車両に搭載された自動変速機ATでの変速段ごとの各摩擦締結要素の締結状態を示す締結作動表である。なお、図２において、○印は当該摩擦締結要素が締結状態であることを示し、（○）印は少なくともエンジンブレーキ作動時に当該摩擦締結要素が締結状態であることを示し、無印は当該摩擦締結要素が開放状態であることを示す。
【００４５】
上記のように構成された変速ギア機構に設けられた各摩擦締結要素のうち、締結していた１つの摩擦締結要素を開放し、開放していた１つの摩擦締結要素を締結するという掛け替え変速を行うことで、下記のように、前進７速で後退１速の変速段を実現することができる。
【００４６】
すなわち、「１速段」では、第２ブレーキB2のみが締結状態となり、これにより第１ワンウェイクラッチF1及び第２ワンウェイクラッチF2が係合する。「２速段」では、第２ブレーキB2及び第３ブレーキB3が締結状態となり、第２ワンウェイクラッチF2が係合する。「３速段」では、第２ブレーキB2、第３ブレーキB3及び第２クラッチC2が締結状態となり、第１ワンウェイクラッチF1及び第２ワンウェイクラッチF2はいずれも係合しない。「４速段」では、第３ブレーキB3、第２クラッチC2及び第３クラッチC3が締結状態となる。「５速段」では、第１クラッチC1、第２クラッチC2及び第３クラッチC3が締結状態となる。「６速段」では、第３ブレーキB3、第１クラッチC1及び第３クラッチC3が締結状態となる。「７速段」では、第１ブレーキB1、第１クラッチC1及び第３クラッチC3が締結状態となり、第１ワンウェイクラッチF1が係合する。「後退速段」では、第４ブレーキB4、第１ブレーキB1及び第３クラッチC3が締結状態となる。
【００４７】
ここで、図１に示す第２クラッチCL2としては、各変速段にて締結される摩擦締結要素を選択可能であるが、例えば、「１速段〜３速段」で第２ブレーキB2、「４速段」で第２クラッチC2、「５速段」で第３クラッチC3、「６速段と７速段」で第１クラッチC1が用いられる。
【００４８】
図６は、実施例１の統合コントローラ１０にて実行される変速機入力回転数制御処理の流れを示すフローチャートである（変速制御手段）。以下、図６に示す各ステップについて説明する。なお、この制御処理は、第１クラッチCL1が開放されている「EVモード」のときに実行される。
【００４９】
ステップS101では、変速制御中であるか否かを判断し、YES（変速制御中である）の場合はステップS103へ進み、NO（変速制御中でない）の場合はステップS102へ進む。
ここで、変速制御中とは、変速指令の出力時から変速終了処理制御の完了時点までのことをいう。なお、変速指令は、Ｄレンジを選択しての走行時、アクセル開度APOと車速VSPにより決まるシフトマップ上での運転点が、アップシフト線を横切ったらアップシフト変速指令が出力され、ダウンシフト線を横切ったらダウンシフト変速指令が出力される。
【００５０】
ステップS102では、ステップS101での変速制御中でないとの判断に続き、モータージェネレータMGにより目標駆動力や回生制動力に合わせるトルク制御を行い、リターンへ進む。
【００５１】
ステップS103では、ステップS101での変速制御中であるとの判断に続き、変速機入力回転数が変化中であるか否か、言い換えると、トルクフェーズからイナーシャフェーズに移行したか否かを判断し、YES（回転変化中である）の場合にはステップS108へ進み、NO（回転変化中でない）の場合はステップS104へ進む。
【００５２】
ステップS104では、ステップS103での回転変化中でないとの判断に続き、トルクフェーズでの目標駆動力(1)を設定し、ステップS105へ進む。
ここで、トルクフェーズでの目標駆動力(1)は、例えば、アクセル足離しによるコーストダウンシフトの変速時、負の一定値に設定される。
【００５３】
ステップS105では、ステップS104でのトルクフェーズでの目標駆動力(1)の設定に続き、掛け替え変速による開放側摩擦締結要素の油圧値と締結側摩擦締結要素の油圧値を、目標駆動力(1)を実現する油圧値に決定し、ステップS106へ進む。
【００５４】
ステップS106では、ステップS105での目標駆動力(1)を実現する油圧値の決定に続き、開放側摩擦締結要素へのソレノイド電流値と締結側摩擦締結要素へのソレノイド電流値を、決定した油圧値を実現するソレノイド電流値に決定し、ステップS107へ進む。
【００５５】
ステップS107では、ステップS106での決定した油圧値を実現するソレノイド電流値の決定に続き、開放側摩擦締結要素の油圧制御アクチュエータと、締結側摩擦締結要素の油圧制御アクチュエータに対し、それぞれ決定したソレノイド電流値を出力することによる駆動力デマンドによる変速制御を行い、リターンへ進む。
すなわち、トルクフェーズにおいては、開放側摩擦締結要素の開放トルクと締結側摩擦締結要素の締結トルクの総容量をコントロールすることで目標駆動力(1)を実現している。
【００５６】
ステップS108では、ステップS103での回転変化中であるとの判断に続き、締結側摩擦締結要素の差回転が無くなる回転同期判定条件（＝ギア比が変速後ギア比に完全移行した条件）が成立したか否かを判断し、YES（回転同期判定条件成立）の場合はステップS113へ進み、NO（回転同期判定条件不成立）の場合はステップS109へ進む。
【００５７】
ステップS109では、ステップS108での回転同期判定条件不成立であるとの判断に続き、イナーシャフェーズでの目標駆動力(2)を設定し、ステップS110へ進む。
ここで、イナーシャフェーズでの目標駆動力(2)は、例えば、アクセル足離しによるコーストダウンシフトの変速時、負の一定値（トルクフェーズでの目標駆動力(1)と同じ値）に設定される。
【００５８】
ステップS110では、ステップS109でのイナーシャフェーズでの目標駆動力(2)の設定に続き、掛け替え変速による開放側摩擦締結要素の油圧値と締結側摩擦締結要素の油圧値を、目標駆動力(2)を実現する油圧値に決定し、ステップS111へ進む。
ここで、例えば、アクセル足離しによるコーストダウンシフトの変速時には、開放側摩擦締結要素の油圧値をゼロに決定し、締結側摩擦締結要素の油圧値を、目標駆動力(2)を実現する油圧値に決定する。
【００５９】
ステップS111では、ステップS110での目標駆動力(2)を実現する油圧値の決定に続き、開放側摩擦締結要素へのソレノイド電流値と締結側摩擦締結要素へのソレノイド電流値を、決定した油圧値を実現するソレノイド電流値に決定し、ステップS112へ進む。
【００６０】
ステップS112では、ステップS111での決定した油圧値を実現するソレノイド電流値の決定に続き、モータージェネレータMGによる回転ＦＢ制御と駆動力デマンドによる変速制御を行い、リターンへ進む。
ここで、モータージェネレータMGによる回転ＦＢ制御では、自動変速機ATへの実入力回転数が設定された目標入力回転数特性に追従するように、モータージェネレータMGの回転数をフィードバック制御される。
また、駆動力デマンドによる変速制御は、開放側摩擦締結要素の油圧制御アクチュエータと、締結側摩擦締結要素の油圧制御アクチュエータに対し、それぞれ決定したソレノイド電流値を出力することにより行われる。すなわち、イナーシャフェーズにおいて、開放側摩擦締結要素の開放トルクをゼロとし、締結側摩擦締結要素の締結トルクをコントロールすることで目標駆動力(2)を実現している。
【００６１】
ステップS113では、ステップS108での回転同期判定条件成立との判断に続き、開放側摩擦締結要素を完全開放状態に移行し、締結側摩擦締結要素を完全締結状態に移行し、モータージェネレータMGを回転ＦＢ制御からトルク制御に移行することで、変速終了処理（後処理）制御を行い、リターンへ進む。
【００６２】
次に、作用を説明する。
実施例１のＦＲハイブリッド車両の制御装置における作用を、「変速制御作用」、「コーストダウンシフトでの変速制御作用」に分けて説明する。
【００６３】
［変速制御作用］
以下、図６のフローチャートに基づいて、実施例１のＦＲハイブリッド車両の変速制御作用を説明する。
【００６４】
変速制御中でないときは、図６のフローチャートにおいて、ステップS101→ステップS102→リターンへと進む流れが繰り返され、ステップS102では、モータージェネレータMGにより目標駆動力や回生制動力に合わせたトルク制御が行われる。
【００６５】
そして、変速制御が開始されると、変速制御開始域では入力回転数の変化がないトルクフェーズとなるため、図６のフローチャートにおいて、ステップS101→ステップS103→ステップS104→ステップS105→ステップS106→ステップS107→リターンへと進む流れが繰り返される。すなわち、ステップS104では、トルクフェーズでの目標駆動力(1)が設定され、ステップS105では、目標駆動力(1)を実現する油圧値が決定され、ステップS106では、油圧値を実現するソレノイド電流値が決定される。次のステップS107では、モータージェネレータMGによるトルク制御を維持しながら、駆動力デマンドによる変速制御（トルクフェーズ油圧制御）が行われる。
したがって、変速制御開始後のトルクフェーズにおいては、開放側摩擦締結要素の開放トルクと締結側摩擦締結要素の締結トルクの総容量をコントロールすることで、目標駆動力(1)が実現される。
【００６６】
そして、トルクフェーズからイナーシャフェーズへと移行し入力回転数が変化すると、図６のフローチャートにおいて、ステップS101→ステップS103→ステップS108→ステップS109→ステップS110→ステップS111→ステップS112→リターンへと進む流れが繰り返される。すなわち、ステップS109では、イナーシャフェーズでの目標駆動力(2)が設定され、ステップS110では、目標駆動力(2)を実現する油圧値が決定され、ステップS111では、油圧値を実現するソレノイド電流値が決定される。そして、ステップS112では、モータージェネレータMGによる回転ＦＢ制御と駆動力デマンドによる変速制御（イナーシャフェーズ油圧制御）が行われる。
したがって、変速制御中のイナーシャフェーズにおいては、モータージェネレータMGがトルク制御から回転数制御へと移行し、モータージェネレータMGによる回転ＦＢ制御により、自動変速機ATへの実入力回転数を、設定された目標入力回転数特性に追従させる制御が行われる。
また、変速制御中のイナーシャフェーズにおいては、開放側摩擦締結要素の開放トルクをゼロとし、締結側摩擦締結要素の締結トルクのみをコントロールすることで、目標駆動力(2)が実現される。
【００６７】
そして、自動変速機ATの入力回転数変化が停止し、回転同期判定条件が成立すると、図６のフローチャートにおいて、ステップS101→ステップS103→ステップS108→ステップS113→リターンへと進む流れが繰り返される。すなわち、ステップS113では、開放側摩擦締結要素を完全開放状態に移行させ、締結側摩擦締結要素を完全締結状態に移行させ、モータージェネレータMGを回転数制御からトルク制御に移行させることで、変速終了処理（後処理）制御が行われる。
したがって、変速制御中の変速終了フェーズにおいては、締結側摩擦締結要素への入力回転数と出力回転数の差回転が無くなった状態で、締結側摩擦締結要素が完全締結状態に移行する。
【００６８】
［コーストダウンシフトでの変速制御作用］
図７は、変速パターンの一例であるコーストダウンシフトでの変速制御作用を説明するアクセル開度・ギア位置・駆動力・入力回転数・指示油圧・クラッチトルク・入力トルク・Ｇ波形出力トルクの各特性を示すタイムチャートである。以下、図７に基づいて、コーストダウンシフトでの変速制御作用を説明する。
【００６９】
まず、自動変速機を搭載した車両で走行中に変速を行うと、走行中であることで自動変速機の出力軸回転数（車速）が一定とみなせるため、ダウンシフトの変速制御は、変速機入力回転数を上昇させる制御であり、アップシフトの変速制御は、変速機入力回転数を低下させる制御である。
【００７０】
自動変速機を搭載したエンジン車の場合、摩擦締結要素の掛け替え制御のみにより入力回転数を変化させる変速制御を行う必要がある。ダウンシフトによる変速の場合、トルクフェーズにおいて、開放側摩擦締結要素を可能な限り早く滑り出すように制御し、変速機入力回転数の上昇変化を促し、イナーシャフェーズへ円滑に移行するように制御される。一方、アップシフトによる変速の場合、トルクフェーズにおいて、締結側摩擦締結要素を可能な限り早く締結するように制御し、変速機入力回転数の低下変化を促し、イナーシャフェーズへ円滑に移行するように制御される。
【００７１】
一方、自動変速機の入力軸側にモーターが連結された車両の場合、トルクフェーズからイナーシャフェーズへ移行させたら、モーター回転数制御により変速機入力軸回転数を制御できるので、イナーシャフェーズでの微妙な油圧制御による摩擦締結要素の掛け替え制御が不要となり、変速制御が容易になると共に、変速ショックの低減効果も望める。
【００７２】
しかし、自動変速機の入力軸側にモーターが連結された車両の場合、上記従来公報に記載されているように、イナーシャフェーズにおいてのみ目標入力回転数に追従するモータージェネレータの回転数制御を行うものである。このため、トルクフェーズでは、自動変速機を搭載したエンジン車の場合と同様に、イナーシャフェーズへ円滑に移行するような摩擦締結要素の掛け替え制御が行われている。
【００７３】
したがって、トルクフェーズの駆動力は、変速機入力トルクと摩擦係合要素の開放トルクと締結トルクに支配され、ドライバーが意図する駆動力が実現できない。例えば、ダウンシフト変速の場合は、トルクフェーズにおいて、駆動力（＝出力軸トルク）が一気に上昇するし、アップシフト変速の場合は、トルクフェーズにおいて、駆動力が一気に低下する。
【００７４】
しかも、様々な変速パターンのうち、コーストダウンシフトの変速は、例えば、走行中に前の信号が赤になり、車両速度を徐々に減速しているような場合に起こり、この運転頻度は多く、しかも、滑らかな運転状態であるため、少しのショックも敏感にドライバーに感じられるので、極めて良好な変速品質を確保する必要がある。
【００７５】
これに対し、実施例１のコーストダウンシフトの変速では、図７の駆動力特性Ａに示すように、トルクフェーズ（時刻t1〜時刻t2）及びイナーシャフェーズ（時刻t2〜時刻t3）の両フェーズを含めて、コーストダウン変速中に要求される出力軸トルク特性による目標駆動力を設定している。そして、図７の指示油圧及びクラッチトルク特性Ｂ及びクラッチトルク特性Ｃに示すように、時刻t1から時刻t3までのトルクフェーズ及びイナーシャフェーズを通して目標駆動力に追従するように、変速に関与する摩擦締結要素のトルク制御を行うようにしている。
したがって、トルクフェーズ及びイナーシャフェーズを通した変速全域にて駆動力を目標駆動力に追従させる駆動力デマンドが実現される。そして、目標駆動力を滑らかで連続的な変化を持つ設定とすることで、変速前後を通して目標駆動力に追従する実駆動力の変化も滑らかなものとなり、実駆動力の急変を原因として車両の前後方向加速度が変動する現象である「変速ショック」が有効に抑えられる。
【００７６】
実施例１では、アクセル足離しによるコーストダウンシフトの変速時、図７の駆動力特性Ａに示すように、トルクフェーズ及びイナーシャフェーズの両フェーズを含めて目標駆動力を負の一定値に設定している。
したがって、コーストダウンシフト変速を伴う減速時、違和感を与えないように変速中の入力トルクを負に保つ制御ができ、トルクフェーズ及びイナーシャフェーズを通し、モータージェネレータMGによる回生状態を途切れることなく継続することができる。
【００７７】
実施例１のコーストダウンシフトの変速では、図７の指示油圧及びクラッチトルク特性Ｂに示すように、トルクフェーズにおいて、開放側摩擦締結要素の開放トルクと締結側摩擦締結要素の締結トルクの総容量をコントロールすることで前記目標駆動力を実現している。
すなわち、変速時、モーター回転数制御を行わない場合、トルクフェーズでは、摩擦締結要素の掛け替え制御のみに依存してイナーシャフェーズへの円滑な移行を確保する必要がある。しかし、変速時、モーター回転数制御を採用すると、トルクフェーズでの摩擦締結要素の掛け替え制御への依存度が軽減され、モーター回転数制御によりイナーシャフェーズへの円滑な移行を確保できる。
したがって、トルクフェーズにおいて、変速に関与する摩擦締結要素のトルク制御を活用することで、容易に目標駆動力を実現することができる。例えば、図７の指示油圧特性Ｂに示すように、時刻t1にてトルクフェーズが開始されると、時刻t1'までは、開放側摩擦締結要素の変速後締結油圧を目標駆動力相当油圧とし、締結側摩擦締結要素の油圧をゼロに維持する。そして、時刻t1'から開放側摩擦締結要素の油圧を低下させ、締結側摩擦締結要素の油圧を上昇させる油圧制御を行う。
【００７８】
実施例１のコーストダウンシフトの変速では、図７のクラッチトルク特性Ｃに示すように、イナーシャフェーズにおいて、開放側摩擦締結要素の開放トルクをゼロとし、締結側摩擦締結要素の締結トルクをコントロールすることで目標駆動力を実現している。
したがって、イナーシャフェーズ中の締結側摩擦締結要素の締結トルクを目標駆動トルクベースとすることができ、イナーシャフェーズ中に目標駆動力が変化しても、その変化に応じた目標駆動トルクが締結側摩擦締結要素を介して伝達され、目標駆動力の変化に追従した摩擦締結要素圧制御を容易に行うことができる。
【００７９】
実施例１のコーストダウンシフトの変速では、図７の入力回転数特性Ｄに示すように、イナーシャフェーズ中は目標入力回転数特性を設定し、実入力回転数をフィードバック制御することで変速を進行させるようにしている。したがって、変速を確実に終了させることができる。加えて、図７の入力回転数特性Ｄに示すように、イナーシャフェーズ中の目標入力回転数特性を、二つの立ち上がり勾配特性により滑らかに設定している。したがって、図７のＧ波形出力トルク特性に示すように、フィードバック制御中の入力トルク変動を小さく抑えられる。
【００８０】
実施例１のコーストダウンシフトの変速では、図７の入力回転数特性Ｅに示すように、変速機入力回転数が、締結側摩擦締結要素の差回転が無くなる同期回転数と判断された時点で、モータージェネレータMGをフィードバック回転数制御からトルク制御に移行させるようにしている。
したがって、締結側摩擦締結要素の差回転が無くなるため、目標駆動力に相当するトルクとされていた締結側摩擦締結要素のトルクを上げて、完全締結に移行しても変速ショックの発生が抑えられる。
【００８１】
次に、効果を説明する。
実施例１のＦＲハイブリッド車両の制御装置にあっては、下記に列挙する効果を得ることができる。
【００８２】
(1) モーター（モータージェネレータMG）を有する駆動源の下流位置に、摩擦締結要素の掛け替えにより複数の変速段を達成する自動変速機ATを搭載し、前記自動変速機ATによる変速時、摩擦締結要素の掛け替えを行うと共に、イナーシャフェーズでは、実入力回転数が設定された目標入力回転数特性に追従するように、モーター回転数をフィードバック制御する変速制御手段を備えた電動車両（ＦＲハイブリッド車両）の制御装置において、前記変速制御手段（図６）は、トルクフェーズ及びイナーシャフェーズの両フェーズを含めて、変速中に要求される出力軸トルク特性による目標駆動力を設定し、トルクフェーズ及びイナーシャフェーズを通して前記目標駆動力に追従するように、変速に関与する前記摩擦締結要素のトルク制御を行う。このため、自動変速機ATによる変速時、トルクフェーズとイナーシャフェーズを含めて変速中に目標駆動力を実現することで、変速前後にて発生し得る変速ショックを抑えた高品質の変速制御を達成することができる。
【００８３】
(2) 前記モーターは、力行と回生を行うモータージェネレータMGであり、前記変速制御手段（図６）は、アクセル足離しによるコーストダウンシフトの変速時、トルクフェーズ及びイナーシャフェーズの両フェーズを含めて前記目標駆動力を負の一定値に設定した。このため、コーストダウンシフト変速を伴う減速時、違和感を与えないように変速中の入力トルクを負に保つ制御ができ、トルクフェーズ及びイナーシャフェーズを通し、モータージェネレータMGによる回生状態を途切れることなく継続することができる。
【００８４】
(3) 前記変速制御手段（図６）は、トルクフェーズにおいて、開放側摩擦締結要素の開放トルクと締結側摩擦締結要素の締結トルクの総容量をコントロールすることで前記目標駆動力を実現する。このため、トルクフェーズにおいて、変速に関与する摩擦締結要素のトルク制御を活用することで、容易に目標駆動力を実現することができる。
【００８５】
(4) 前記変速制御手段（図６）は、イナーシャフェーズにおいて、開放側摩擦締結要素の開放トルクをゼロとし、締結側摩擦締結要素の締結トルクをコントロールすることで目標駆動力を実現する。このため、イナーシャフェーズ中に目標駆動力が変化しても、目標駆動力の変化に追従した摩擦締結要素圧制御を容易に行うことができる。
【００８６】
(5) 前記変速制御手段は、変速機入力回転数が、締結側摩擦締結要素の差回転が無くなる同期回転数と判断された時点で、前記モーター（モータージェネレータMG）を、フィードバック回転数制御からトルク制御に移行させる。このため、締結側摩擦締結要素のトルクを上げて、完全締結に移行しても変速ショックの発生を抑えることができる。
【００８７】
以上、本発明の電動車両の制御装置を実施例１に基づき説明してきたが、具体的な構成については、この実施例１に限られるものではなく、特許請求の範囲の各請求項に係る発明の要旨を逸脱しない限り、設計の変更や追加等は許容される。
【００８８】
実施例１では、自動変速機として、前進７速後退１速の自動変速機の例を示した。しかし、前進７速以外の変速段を有する有段変速機の例としても良い。
【００８９】
実施例１では、変速制御の適用例としてコーストダウンシフトの例を示したが、パワーオンアップシフト（アクセル踏み込みアップシフト）やパワーオフアップシフト（アクセル足離しアップシフト）やパワーオンダウンシフト等の他の変速パターンに対しても適用できる。例えば、パワーオンアップシフトの場合には、トルクフェーズ及びイナーシャフェーズの両フェーズを含めて滑らかに低下する特性を持つ目標駆動力を設定する。また、パワーオンダウンシフトの場合には、トルクフェーズ及びイナーシャフェーズの両フェーズを含めて滑らかに上昇する特性を持つ目標駆動力を設定する。
【産業上の利用可能性】
【００９０】
実施例１では、制御装置をＦＲハイブリッド車両に適用する例を示したが、ＦＦハイブリッド車両は勿論のこと、駆動源にモーターのみ、あるいは、モータージェネレータのみを備えた電気自動車や燃料電池車等の電動車両に適用することもできる。要するに、モーターを有する駆動源の下流位置に自動変速機を搭載した電動車両であれば適用することができる。
【図面の簡単な説明】
【００９１】
【図１】実施例１の電動車両の制御装置が適用された後輪駆動によるＦＲハイブリッド車両（電動車両の一例）を示す全体システム図である。
【図２】実施例１の電動車両の制御装置が適用されたＦＲハイブリッド車両の統合コントローラ１０にて実行される演算処理を示す制御ブロック図である。
【図３】ＦＲハイブリッド車両の統合コントローラ１０でのモード選択処理を行う際に用いられるEV-HEV選択マップを示す図である。
【図４】実施例１の電動車両の制御装置が適用されたＦＲハイブリッド車両に搭載された自動変速機ATの一例を示すスケルトン図である。
【図５】実施例１の電動車両の制御装置が適用されたＦＲハイブリッド車両に搭載された自動変速機ATでの変速段ごとの各摩擦締結要素の締結状態を示す締結作動表である。
【図６】実施例１の統合コントローラ１０にて実行される変速制御処理の流れを示すフローチャートである。
【図７】変速パターンの一例であるコーストダウンシフトでの変速制御作用を説明するアクセル開度・ギア位置・駆動力・入力回転数・指示油圧・クラッチトルク・入力トルク・Ｇ波形出力トルクの各特性を示すタイムチャートである。
【符号の説明】
【００９２】
Eng  エンジン
MG  モータージェネレータ（モーター）
Input  変速機入力軸
Output  変速機出力軸
RL  左後輪
RR  右後輪
AT  自動変速機
７  ＡＴコントローラ
１０  統合コントローラ
【図１】
2010143364.tif 000003
【図２】
2010143364.tif 000004
【図３】
2010143364.tif 000005
【図４】
2010143364.tif 000006
【図５】
2010143364.tif 000007
【図６】
2010143364.tif 000008
【図７】
2010143364.tif 000009